(57)【要約】      （修正有）【課題】本装置の周囲全体で拡声音を聴くことが可能となるスマートフォン用の陶磁器製音響装置を提供する。【解決手段】下部本体１０Ａと上部本体２０Ａの間隙に形成され上部が円形に開放されたリング状の音響・拡声空間を有するスピーカー部２０Ａにより、反響・拡声部１０Ａから導音された反響・拡声音を更に反響・拡声させて、外部の全方向に発するように構成されたことを特徴とする。【選択図】図１
0003205599.tif 000002
【実用新案登録請求の範囲】
【請求項１】
陶磁器製隔壁で区画された音響空間内で反響・拡声させる反響・拡声部（１０A）と、該反響・拡声音を導音して更に反響・拡声させるスピーカー部（２０A）で構成されたスマートフォン用の陶磁器製音響装置において、
前記反響・拡声部（１０A）は中空ボタン形状を有し、シャーレ形状の陶磁器製トレーを上向きに置いた下部本体（３０）と、下部本体内の同軸位置に対峙させたシャーレ形状の陶磁器製トレーを下向きに伏せて接合させた上部本体（４０）とで構成され、上部本体の略中央に開口したスマートフォン挿入載置口（４１）から挿入載置されたスマートフォン（１００）の音声出力部（１０１）から発せられた音声を、下部本体の底面（３２）と、上部本体の底面（４３）および立壁（４２）で区画された反響・拡声空間（A）内で反響・拡声させ、
前記スピーカー部（２０A）は、下部本体の立壁（３１）と上部本体の立壁（４２）で構成され、両立壁の間隙に形成されたリング状の音響・拡声空間（B）内で前記反響・拡声部から導音された反響・拡声音を更に反響・拡声させて、外部の全方向に発するように構成されたことを特徴とするスマートフォン用の陶磁器製音響装置。
【請求項２】
前記反響・拡声部（１０A）およびスピーカー部（２０A）は、釉薬を掛けず焼締めによる表面処理することで反響・拡声効果が高まるように構成されたことを特徴とする請求項１記載のスマートフォン用の陶磁器製音響装置。
【請求項３】
前記反響・拡声部は中空のパンケーキ形状（１０B）を有し、反響・拡声部の上部に開口したスマートフォン挿入載置口から挿入載置されたスマートフォンの音声出力部から発せられた音声を、陶磁器製の前記反響・拡声部の反響・拡声空間内で反響・拡声させ、
前記スピーカー部は前記中空のパンケーキ形状の反響・拡声部とは通音構造とし、かつ前記反響・拡声部に対し略上方向に向けた一または複数個のラッパ状の陶磁器壁（２０B）で構成され、前記反響・拡声部から導音された反響・拡声音を更に反響・拡声させて、該反響・拡声音をラッパ状の音響・拡声空間から外部の全方向に発するように構成されたことを特徴とする請求項１記載のスマートフォン用の陶磁器製音響装置。
【請求項４】
前記反響・拡声部は中空のドーナツ形状（１０C）を有し、反響・拡声部の上部でスピーカー部とは対向する位置に開口したスマートフォン挿入載置口から挿入載置されたスマートフォンの音声出力部から発せられた音声を、該中空のドーナツ形状の反響・拡声空間内でスマートフォンの音声を反響・拡声させ、
前記スピーカー部は前記中空のドーナツ形状の前記反響・拡声部と通音構造とし、かつ前記反響・拡声部に対し略上方向に向けた一または複数個のラッパ状の陶磁器壁（２０C）で構成され、前記反響・拡声部から導音された反響・拡声音を更に反響・拡声させて、該反響・拡声音をラッパ状の音響・拡声空間から外部の全方向に発するように構成されたことを特徴とする請求項１記載のスマートフォン用の陶磁器製音響装置。
【考案の詳細な説明】
【技術分野】
【０００１】
本考案は、電源を必要としないスマートフォン用の陶磁器製音響装置に関するものである。
【背景技術】
【０００２】
一般的なスマートフォンから再生される音声は音量が小さく、音質も音響装置としては良くない。そのためスマートフォンを載置して音量を大きくしたり、音質を改良したりする目的で使用する電源を用いないスピーカー機器が各種販売されている。
【０００３】
例えば従来例に係るスマートフォン用の陶磁器製音改良器では、開口部を有する中空半球形状であり且つ前記開口部に音を発するスマートフォンを取り付ける固定部を有する本体と、本体の底部に設けられ前記開口部が略正面に向くように前記本体を支持する台座で構成されている。
【０００４】
この従来例によれば、スマートフォンのスピーカーから発生する拡声音を、中空半球形状、換言すれば、椀形状の本体内側の壁面に反響して増幅させ、深みのある綺麗な音質とする構成となっている。本体内側の面は、凹凸がなく滑らかな面となっているため、スピーカーから発生した拡声音が効率よく反響する。また、本体内側の面は、ドーム形状となっているため、均一でバランスの良い反響効果を生ずることができる。さらに、中空半球形状の開口部が、略正面に向けられているため、反響によって、増幅し、深みを増した拡声音が、正面方向に広がり、視聴者に届きやすい構成となっている。しかしながらこの構成では、略正面に向けられた開口部より発する拡声音は当然ながら主として略正面へ向けられ、全方向へは拡声音が行き届かないという欠点を有する。
【０００５】
更に別の引例では、アッパーケースとロアーケースとでインナーブロックを上下から挟み込むように内装して構成した本体と、このアッパーケースの上面には携帯機器の保持部を開口して備えるとともに、本体の前面にはアッパーケースとロアーケースとで前面開口部を備える。そしてインナーブロックには、保持部に携帯機器を差し込んで保持したときに、携帯機器の底面に備えられたスピーカーに相対する位置に音響用開口部を備えるとともに、この音響用開口部と連続した凹部を底面に備えることで、この凹部とロアーケースとの間にホーン部を形成して携帯機器のスピーカーの音を前面開口部から拡声して発するように構成した携帯機器ホルダーが開示されている。この本体の保持部に携帯機器を保持させることで、携帯機器のスピーカーから発せられた音が小音量、低音質であってもホーン部によって効率よく拡声、かつ音質も向上されて前面開口部から発せられるので、実用上極めて明確に聴取することが可能となる構成である。
【０００６】
しかしながらこの構成でも携帯機器用のスピーカーから発せられた拡声音は、ホーン部によって拡声された後に前面開口部からのみ発せられるため、全方向へ拡声音が発せられないという欠点を有する。
【０００７】
その他、インターネットを検索すれば種々の形状をしたスマートフォン用のスピーカーが掲載されているが、それ等は例えばラッパ状の開口部から拡声音が前方向にのみ発せられ、全方向へ拡声音を発する構成とはなっていない。換言すれば何れの従来例においても、拡声音は全方向からは聴き辛いという欠点を有している。
【先行技術文献】
【特許文献】
【０００８】
【特許文献１】実用新案登録第３１８９８８９号公報
【特許文献２】特開２０１２−１７５６９６号公報
【考案の概要】
【考案が解決しようとする課題】
【０００９】
解決しようとする問題点は、電源を用いないスマートフォン用のスピーカーでは、全方向へ拡声音を発する構成とはなっていない点である。
【課題を解決するための手段】
【００１０】
本考案に係るスマートフォン用の陶磁器製音響装置は陶磁器製の中空ボタン形状を有し、陶磁器製隔壁で区画された音響空間内で反響・拡声させる反響・拡声部と、この反響・拡声音を導音して更に反響・拡声させるスピーカー部を有している。前者の反響・拡声部は、シャーレ形状の陶磁器製トレーを上向きに置いた下部本体と、下部本体内の同軸位置に対峙させたシャーレ形状の陶磁器製トレーを下向きに伏せた上部本体を接合して構成させている。そして上部本体の略中央に開口したスマートフォン挿入載置口から挿入載置されたスマートフォンの音声出力部から発せられた小さな音声を、下部本体の底面と、上部本体の底面および立壁面で区画された反響・拡声空間内で反響・拡声させる。後者のスピーカー部は下部本体の立壁と上部本体の立壁で構成され、この両方の立壁の間隙に形成されたリング状の音響・拡声空間内で前者の反響・拡声部から導音された反響・拡声音を更に反響・拡声させて、外部の全方向に発するように構成されたことを特徴とする。
【考案の効果】
【００１１】
本考案に係るスマートフォン用の陶磁器製音響装置は、本体の上部面に設けたリング状の開口部で構成した全方向性スピーカー部で構成したため、本装置の周囲全体で拡声音を聴くことが可能となる利点がある。また本体上部の略上方向に向けた一または複数個のラッパ形状の開口部でも同様な効果を発揮できる利点を有する。なお反響・拡声部を中空パンケーキ形状、または中空ドーナツ形状に構成すれば、これ等の反響・拡声部内部で更に異なった反響・拡声効果を上げることが出来るという利点を有する。
【図面の簡単な説明】
【００１２】
【図１】図１は中空ボタン形状のスマートフォン用の陶磁器製音響装置（実施例１）の斜視図である。
【図２】図２はスマートフォン用の陶磁器製音響装置（実施例１）の図１A-A線での断面図である。
【図３】図３はスマートフォン用の陶磁器製音響装置（実施例１）にスマートフォンを挿入載置した斜視図である。
【図４】図４は中空パンケーキ形状のスマートフォン用の陶磁器製音響装置（実施例２）の斜視図である。
【図５】図５はスマートフォン用の陶磁器製音響装置（実施例２）にスマートフォンを挿入載置した斜視図である。
【図６】図６は中空ドーナツ形状のスマートフォン用の陶磁器製音響装置（実施例３）の斜視図である。
【図７】図７はスマートフォン用の陶磁器製音響装置（実施例３）にスマートフォンを挿入載置した斜視図である。
【考案を実施するための形態】
【００１３】
スマートフォン用のスピーカーから発する音声を電源を用いないで反響・拡声させ、全方向へこの反響・拡声音を発するという目的を実現するために、以下のスマートフォン用の陶磁器製音響装置を開示する。
【実施例１】
【００１４】
図１は本願考案の実施例１に係るスマートフォン用の陶磁器製音響装置１の斜視図であり、図２は図１のA-A線での断面図である。このスマートフォン用の陶磁器製音響装置１は、陶磁器製隔壁で区画された音響空間内で反響・拡声させる反響・拡声部１０Aと、この反響・拡声音を導音して更に反響・拡声させるスピーカー部２０Aで構成されている。前者の反響・拡声部１０Aは中空ボタン形状を有し、シャーレ形状の陶磁器製トレーを上向きに置いた下部本体３０と、下部本体内の同軸位置に対峙させたシャーレ形状の陶磁器製トレーを下向きに伏せた上部本体４０を接合して構成する。そして上部本体４０の略中央に開口したスマートフォン挿入載置口４１から挿入載置されたスマートフォン１００の音声出力部１０１から発せられた小さな音声を、下部本体３０の底面３２と、上部本体４０の底面４３および立壁４２で区画された反響・拡声空間A内で反響・拡声させる。後者のスピーカー部２０Aは下部本体３０の立壁３１と底面３２および上部本体４０の立壁４２で構成されている。反響・拡声部１０Aとスピーカー部２０Aとは、上部本体４０の立壁４２に複数個設けられた音響開口ホール４４を通して通音状態であるので、反響・拡声部１０Aからの反響・拡声音は音響開口ホール４４を通してスピーカー部２０Aから外部の全方向に発せられる。すなわち下部本体３０と上部本体４０の間隙に形成され上部が円形に開放されたリング状の音響・拡声空間Bを有するスピーカー部２０Ａにより、前者の反響・拡声部１０Aから導音された反響・拡声音を更に反響・拡声させて、外部の全方向に発するように構成されている。
【００１５】
本考案に係るスマートフォン用の音響装置は陶磁器製であり、種々の陶磁器粘土や釉薬を使用し焼成工程を変えることにより音色を変化させることが可能である。一般的な陶磁器は、土を成形する工程、素焼き工程（約800度）、施釉工程、そして本焼き工程（1100〜1300度）の各工程により作られる。そして焼成方法には、酸化焼成と還元焼成があり、後者の還元焼成で焼いたものの方が一般的には硬度が高い。下部本体３０および上部本体４０の表面に釉薬をかけたもの（施釉）は、焼成すると釉薬が溶けて表面がガラス質でコーティングされ表面が滑らかになる。施釉する釉薬の種類や濃度により厚さも変わり、ガラス質のコーティング層の厚さも変わる為、音響効果にも変化が出る。また当然ながら下部本体３０および上部本体４０の形状を変えることにより低音部や高音部が強調されて音質が変わり、好みの音響効果を作ることが可能である。なお一般的な焼締め（釉薬をかけずに焼成したもの・無釉）の陶器は、表面に細かな凹凸があり多孔質で吸水性もあるため、施釉したものに比べると音響効果としては柔らかい音になる。
【００１６】
更に使用する粘土の成分や粒度の違いにより表面の凹凸の大きさがかわり、同じ粘土を使用して同じ形状のものを制作しても焼成温度を変えることにより焼締まり方（硬度）も変わるので音響が変化する。高温で焼いた方が硬度が高い。粒度の非常に細かい萬古焼（三重県四日市特産）の急須の粘土（紫泥）を使い、施釉せずに還元焼成すると焼締まり、硬度が増すだけではなく、表面の凹凸が細かくなり吸水性がなくなるため、他の土を焼締めたものや、ガラス質の釉薬でコーティングしたものとは違う音響効果が経験上認められている。萬古焼の急須は陶磁器の中でせっ器（「せっ」は火ヘンに石）に分類される（陶磁器の分類は一般的に磁器、陶器、せっ器、土器と分けられる）。
【００１７】
上記陶磁器の特性を利用し、本考案では反響・拡声部１０Aおよびスピーカー部２０Aは、釉薬を掛けずに焼締めによる表面処理することで反響・拡声効果が高まるように構成することが出来る。
【実施例２】
【００１８】
次に図４には本願考案の実施例２に係るスマートフォン用の陶磁器製音響装置２が図示されている。この実施例２では反響・拡声部１０Bは中空のパンケーキ形状を有し、該反響・拡声部の上部に開口したスマートフォン挿入載置口から挿入載置されたスマートフォンの音声出力部から発せられた音声を、陶磁器製の前記反響・拡声部の反響・拡声空間内で反響・拡声させる構造となっている。またスピーカー部２０Bは前記中空のパンケーキ形状の反響・拡声部１０Bとは通音構造とし、かつ前記反響・拡声部に対し略上方向に向けた一または複数個のラッパ状の陶磁器壁で構成され、前記反響・拡声部から導音された反響・拡声音を更に反響・拡声させて、該反響・拡声音をラッパ状の音響・拡声空間から外部の全方向に発するように構成されている。なお図５には実施例２に係る陶磁器製音響装置２にスマートフォンを挿入載置した斜視図が図示されている。
【実施例３】
【００１９】
更に図６には本願考案の実施例３に係るスマートフォン用の陶磁器製音響装置３が図示されている。この実施例３では反響・拡声部１０Cは中空のドーナツ形状を有し、この反響・拡声部の上部でスピーカー部とは対向する位置に開口したスマートフォン挿入載置口から挿入載置されたスマートフォンの音声出力部から発せられた音声を、該中空のドーナツ形状の反響・拡声空間内でスマートフォンの音声を反響・拡声させる構造となっている。またスピーカー部２０Cは前記中空のドーナツ形状の前記反響・拡声部と通音構造とし、かつ前記反響・拡声部に対し略上方向に向けた一または複数個のラッパ状の陶磁器壁で構成され、前記反響・拡声部から導音された反響・拡声音を更に反響・拡声させて、該反響・拡声音をラッパ状の音響・拡声空間から外部の全方向に発するように構成されている。なお図７には実施例３に係る陶磁器製音響装置３にスマートフォンを挿入載置した斜視図が図示されている。
【産業上の利用可能性】
【００２０】
リング状の音響・拡声空間Bを有するスピーカー部２０Aや、略上方向に向けた一または複数個のラッパ状の陶磁器壁で構成されスピーカー部２０B、２０Cにより、反響・拡声音を外部の全方向に広範囲に発することが出来る。また電気を使用することなく簡便に大きな拡声効果を有するため、インテリア用品としても使用可能である。
【符号の説明】
【００２１】
１、２、３                スマートフォン用の陶磁器製音響装置
１０A、１０B、１０C      反響・拡声部
２０A、２０B、２０C      スピーカー部
３０                      下部本体
３１                      立壁
３２                      底面
４０                      上部本体
４１                      スマートフォン挿入載置口
４２                      立壁
４３                      底面
４４                      音響開口ホール
１００                    スマートフォン
１０１                    音声出力部
【図１】
0003205599.tif 000003
【図２】
0003205599.tif 000004
【図３】
0003205599.tif 000005
【図４】
0003205599.tif 000006
【図５】
0003205599.tif 000007
【図６】
0003205599.tif 000008
【図７】
0003205599.tif 000009